(57)【要約】【課題】ランプアセンブリーを形成する放電ランプに接続され、ランプ間の均一な照明を有するように適応されたインバータ変圧器を提供すること。【解決手段】インバータ変圧器(１００)は、ボビン(１)及び複数の巻線(３)を有するコイルユニットと、変圧器コアユニット(２)とを備える。ボビン(１)はコア受けコンパートメント(１１)によって形成され、第１、第２及び第３コイル巻線部分(１３、１４、１５)を有する。巻線(３)は、第１、第２及び第３コイル巻線部分(１３、１４、１５)の周りにそれぞれ巻きつけられる。変圧器コアユニット(２)は、コア受けコンパートメント(１１)内に延伸する内部コア部(２１)を備える。【選択図】図１
2006108667.tif 000002
【特許請求の範囲】
【請求項１】
コア受けコンパートメント(１１)によって形成され、第１、第２及び第３コイル巻線部分(１３、１４、１５)を有するボビン(１)と、
前記第１、第２及び第３コイル巻線部分(１３、１４、１５)のそれぞれの周りに巻き付けられた複数の巻線(３)と、
前記コア受けコンパートメント(１１)内に延伸する内部コア部(２１)を有する変圧器コアユニット(２)とを有するコイルユニットを、備えることを特徴とするインバータ変圧器(１００)。
【請求項２】
前記コイルユニットを複数備えることを特徴とする請求項１に記載のインバータ変圧器。
【請求項３】
前記巻線(３)が、前記第１、第２及び第３コイル巻線部分(１３、１４、１５)のそれぞれの周りに巻き付けられた一次、二次、及び三次巻線（３３、３４、３５）を備えることを特徴とする請求項１に記載のインバータ変圧器。
【請求項４】
前記ボビン(１)が、複数の前記第２コイル巻線部分(１４)を備え、
前記巻線（３）が、複数の前記第２コイル巻線部分(１４)のそれぞれに巻き付けられた複数の二次巻線（３４）を備えることを特徴とする請求項３に記載のインバータ変圧器。
【請求項５】
前記ボビン(１)が、隣接する一対の前記第２コイル巻線部分(１４)の間に配置された第４コイル巻線部分(１６)を備え、
前記巻線（３）が、前記第１及び第４コイル巻線部分(１３、１６)のそれぞれの周りに巻き付けられた一対の前記一次巻線（３３）を備えることを特徴とする請求項４に記載のインバータ変圧器。
【請求項６】
前記コイルユニットを囲む、電磁気干渉に対する防護用の磁気シールド（１１０）をさらに備えることを特徴とする請求項１に記載のインバータ変圧器。
【請求項７】
前記変圧器コアユニット(２)が、前記コア受けコンパートメント(１１)の外部に配置され、前記第２コイル巻線部分(１４)とエアギャップ（Ｍ）を形成する外部コア部（２２）をさらに備えることを特徴とする請求項１に記載のインバータ変圧器。
【請求項８】
前記ボビン(１)が、前記第１、第２及び第３コイル巻線部分(１３、１４、１５)のうち隣接する一対の間に、周りに前記巻線（３）の巻き付けられていないスペーサー部分（１７）をさらに備えることを特徴とする請求項１に記載のインバータ変圧器。
【請求項９】
複数のコイルユニットを備え、
各前記コイルユニットが、
コア受けコンパートメント(１１)によって形成され、第１、第２及び第３コイル巻線部分(１３、１４、１５)を有するボビン(１)と、
前記第１、第２及び第３コイル巻線部分(１３、１４、１５)のそれぞれの周りに巻き付けられた一次、二次、及び三次巻線（３３、３４、３５）を有する複数の巻線(３)と、
内部コア部分(２１)をそれぞれ有する複数の変圧器コアユニット(２)とを備え、
前記内部コア部分が、各々の前記コアユニットの前記コア受けコンパートメント(１１)内に延伸するることを特徴とするインバータ変圧器（１００）。
【請求項１０】
前記コアユニットの前記三次巻線（３５）が相互に接続されて閉回路ループを形成することを特徴とする請求項９に記載のインバータ変圧器。
【請求項１１】
前記閉回路ループの一部を形成するインピーダンス・コンポーネント(１３０)をさらに備えることを特徴とする請求項１０に記載のインバータ変圧器。
【請求項１２】
前記ボビン(１)が、第４コイル巻線部分(１６)を備え、
前記巻線(３)が、前記第１及び第４コイル巻線部分(１３、１６)のそれぞれの周りに巻き付けられた一対の前記一次巻線（３３）を備えることを特徴とする請求項９に記載のインバータ変圧器。
【請求項１３】
一対のランプ負荷(１２０)と、インバータ変圧器(１００)とを備え、
前記インバータ変圧器(１００)が、前記ランプ負荷(１２０)にそれぞれ接続された第１及び第２コイルユニット(７、７')を備え、
前記第１及び第２コイルユニット(７、７')のそれぞれが、
コア受けコンパートメントによって形成され、第１、第２及び第３コイル巻線部分(１３、１４、１５)を有するボビン(１)と、
前記第１、第２及び第３コイル巻線部分(１３、１４、１５)のそれぞれの周りに巻き付けられた一次、二次、及び三次巻線（３３、３４、３５）を有する複数の巻線(３)と、
前記第１及び第２コイルユニット(７、７')のそれぞれの前記コア受けコンパートメント内に延伸する内部コア部(９０１)をそれぞれ有する、第１及び第２変圧器コアユニット(９、９')とを備えることを特徴とするランプアセンブリー(７００)。
【請求項１４】
前記第１及び第２コイルユニット(７、７')のそれぞれにおける前記二次巻線（３４）が、それぞれの前記ランプ負荷（１２０）と、前記第１及び第２コイルユニット(７、７')のもう一方における前記三次巻線（３５）とを直列に相互接続させることを特徴とする請求項１３に記載のランプアセンブリー。
【請求項１５】
各前記ランプ負荷１２０が、前記第１及び第２コイルユニット(７、７')の一方における前記二次巻線（３４）と、前記第１及び第２コイルユニット(７、７')の他方における前記三次巻線（３５）との間に、直列に接続されることを特徴とする請求項１３に記載のランプアセンブリー。
【発明の詳細な説明】
【技術分野】
【０００１】
関連出願の参照
本願は、２００４年９月３０日に出願された台湾出願第０９３１２９５６８、２００５年１月１７日に出願された台湾出願第０９４２００８４１、及び２００５年２月５日に出願された台湾出願第０９４２０２３９１の優先権を主張する。
【０００２】
発明の分野
本発明は、インバータ変圧器に関し、特に、ランプアセンブリーを形成する放電ランプに接続され、ランプ間の均一な照明を有するように適応されたインバータ変圧器に関する。
【背景技術】
【０００３】
液晶表示装置(以下、ＬＣＤと記す)は、バックライト照明のソースとして、冷陰極蛍光灯(以下、ＣＣＦＬと記す)のような放電ランプを使用する。放電ランプは高電圧出力の要求を満たすために、通常インバータ変圧器を有するインバータ回路によって駆動される。
【０００４】
従来のインバータ変圧器はコア、ボビン(bobbin)、及びボビンの周りに巻き付けられる一次及び二次巻線を有する。一次及び二次巻線は電源及び負荷、この場合ではＣＣＦＬ、に電気的にそれぞれ接続されるように適応される。
【０００５】
ＬＣＤの物理的なサイズが大きくなるにつれ、必要とされるＣＣＦＬの長さ及び数が増大する。従って、ランプの駆動に必要な電力も増大する。
【０００６】
生産コストを最小限にするために、従来技術では、二次巻線は並列にある２つのＣＣＦＬに接続される。理想的な負荷条件の下では、ＣＣＦＬは、個々のランプ間に異なる実際のインピーダンスを引き起こす負熱インピーダンス特性を示す。したがって、実際の作動の場合、個々のランプ内の電流、ひいては個々のランプの照明度が互いに異なる。
【０００７】
ＣＣＦＬは、特定の用途に応じて、Ｌ字形やＵ字型のような様々の形態で具現される。個々のランプ間の照明度の違いは、Ｌ字形、Ｕ字型のランプの場合、より顕著である。したがって、ランプ内の電流の調整に対するコントロールが必要である。従来では、同じ二次巻線に接続されるランプ内の電流を調整するのを促進するためにインピーダンス整合コイルが提案されたが、この調整スキームは生産コストを増加させるだけでなく、ＬＣＤ内部のサーキットボード上の貴重なスペースをも占領してしまう。
【発明の開示】
【発明が解決しようとする課題】
【０００８】
本発明の目的は、均一な照明を確保するためにランプアセンブリー内の放電ランプにバランスのとれた電流出力を供給するように適応されたインバータ変圧器を提供することにある。
【課題を解決するための手段】
【０００９】
本発明の１側面によれば、ボビン、複数の巻線、及び変圧器コアユニットを有するコイルユニットを備えたインバータ変圧器が提供される。ボビンはコア受けコンパートメントによって形成され、第１、第２及び第３コイル巻線部分を有する。巻線は、第１、第２及び第３コイル巻線部分の周りにそれぞれ巻きつけられる。変圧器コアユニットは、コア受けコンパートメント内に延伸する内部コア部を有する。
【００１０】
本発明のもう一つの側面によれば、複数のコイルユニット及び複数の変圧器コアユニットを備えたインバータ変圧器が提供される。コイルユニットの各々はボビン及び複数の巻線を有する。ボビンはコア受けコンパートメントによって形成され、第１、第２及び第３コイル巻線部分を有する。巻線は、第１、第２及び第３コイル巻線部分の周りにそれぞれ巻きつけられる一次、二次、及び三次巻線を有する。変圧器コアユニットの各々は、それぞれのコイルユニットのコア受けコンパートメント内に延伸する内部コア部を有する。
【００１１】
本発明のまたもう一つの側面によれば、一対のランプ負荷及びインバータ変圧器を備えたランプアセンブリーが提供される。インバータ変圧器は、ランプ負荷にそれぞれ接続された第１及び第２コイルユニット、並びに第１及び第２変圧器コアユニットを備える。第１及び第２コイルユニットの各々はボビン及び複数の巻線を有する。ボビンはコア受けコンパートメントによって形成され、第１、第２及び第３コイル巻線部分を有する。巻線は、第１、第２及び第３コイル巻線部分の周りにそれぞれ巻きつけられる一次、二次、及び三次巻線を有する。第１及び第２変圧器コアユニットは、それぞれ第１と第２コイルユニットのコア受けコンパートメント内に延伸する内部コア部を有する。
【発明を実施するための最良の形態】
【００１２】
本発明がより詳しく説明される前に、ここでは、類似の要素が開示の全体にわたって同じ参照符号によって表示されることに注意すべきである。
【００１３】
図１及び図２に示されるように、本発明の第１の好ましい実施形態に係るインバータ変圧器１００は、変圧器コアユニット２と、ボビン１及び複数の巻線３を有するコイルユニットとを備える。
【００１４】
ボビン１は、コア受けコンパートメント１１によって形成され、第１、第２、及び第３コイル巻線部分１３、１４、１５に区分される。この実施の形態では、巻線３は、第１、第２、及び第３コイル巻線部分１３、１４、１５のそれぞれの周りに巻き付けられる一次、二次及び三次巻線３３、３４、３５を有する。第２コイル巻線部分１４は、第１及び第３コイル巻線部分１３、１５の間に配置される。ボビン１は、横方向に延伸し、外部との接続のために、対向する両端で複数の導線端子１２をさらに備えている。
【００１５】
変圧器コアユニット２は、インバータ変圧器１００に磁気回路パスを提供するために、ボビン１のコア受けコンパートメント１１の内部及び外部のそれぞれに配置される、内部及び外部コア部２１、２２を備える。この実施の形態では、内部及び外部コア部２１、２２はそれぞれ、Ｉ字形、及び穴を有するＵ字型のコアとして形成される。
【００１６】
図２に示されるように、インバータ変圧器１００は、ボビン１を囲む、電磁気干渉に対する保護用の磁気シールド１１０をさらに備えている。一次巻線３３に外部の電源(図示せず)から電流が供給される場合、磁気結合Ａ、Ｂが、一次及び二次巻線３３、３４の間、並びに二次及び三次巻線３４、３５の間に変圧器コアユニット２を介して確立される。磁気結合Ａ、Ｂは、インバータ変圧器１００の出力を安定させるのを促進して、インバータ変圧器１００が放電ランプ(図示せず)に接続される時に、ランプ間の照明の一致を確保する。
【００１７】
図３に示されるように、本発明の第２の好ましい実施の形態に係るインバータ変圧器１００ａは、ボビン１ａが第１及び第３コイル巻線部分１３、１５の間に配置された複数の第２コイル巻線部分１４を備える点、及び巻線３aが複数の第２コイル巻線部分１４のぞれぞれの周りに巻きつけられる複数の二次巻線３４を備える点において、上記第１の好ましい実施の形態と異なる。ボビン１ａに備えられた第２コイル巻線部分１４の数は、特定用途のための負荷条件及び電力使用に左右される。
【００１８】
図４に示されるように、本発明の第３の好ましい実施の形態に係るインバータ変圧器１００ｂは、上記第１の好ましい実施の形態のコイルユニット(図１に示された）を２つ備えている。その結果、インバータ変圧器１００ｂは２つ以上の放電ランプを駆動するために適応されることができる。本第３の好ましい実施の形態に備えられたコイルユニットの数は、特定用途の要件によって決まる。
【００１９】
図５に示されるように、本発明の第４の好ましい実施の形態に係るインバータ変圧器１００ｃは、ボビン１ｃが、第２コイル巻線部分１４の隣接したペアの間に配置された第４のコイル巻線部分１６を備える点で、上記第２の好ましい実施の形態(図３に示された)と異なる。さらに、巻線３ｃは、それぞれ第１及び第４コイル巻線部分１３、１６の周りに巻きつけられる一対の一次巻線３３を備える。インバータ変圧器１００ｃがランプアセンブリーに適用される場合、一次、二次、及び三次巻線３３、３４、３５の隣接したペアの間の磁気結合は、複数の磁気回路ループを提供する。その結果、インバータ変圧器１００ｃによって複数の放電ランプが照明できる。
【００２０】
図６及び図７に示されるように、本発明の第５の好ましい実施の形態に係るインバータ変圧器１００ｄは、ボビン１ｄが縦方向に延伸し、導線端子１２がボビン１ｄの底面端のみに備えられる点で、上記第１の好ましい実施の形態(図１に示された)と異なる。
【００２１】
図８に示されるように、本発明の第６の好ましい実施の形態に係るインバータ変圧器１００ｅは、ボビン５、巻線３ｅ、及び変圧器コアユニット６を有するコイルユニットを備える。
【００２２】
ボビン５は、コア受けコンパートメント５１(図９を参照)によって形成され、第１、第２及び第３コイル巻線部分５３、５４、５５に区分されている。巻線３ｅは、それぞれ第１、第２及び第３コイル巻線部分５３、５４、５５の周りに巻きつけられる一次、二次及び三次巻線３３、３４、３５を備える。ボビン５は、その対向する両端に、複数の導線端子５２(図９を参照)をさらに備える。
【００２３】
変圧器コアユニット６は、逆の向きを有する２つのＥ字形のコアとして形成される第１及び第２コア部６１、６２を備える。第１、第２コア部６１、６２はそれぞれ、突出部６１１、６２１を有し、これらの突出部６１１、６２１はそれぞれ、コア部６１、６２の中央から、第１及び第３コイル巻線部分５３、５５に対応する位置のコア受けコンパートメント５１に延伸する。エアギャップＭ１、Ｍ２が、一次及び二次巻線３３、３４の間、並びに二次及び三次の巻線３４、３５の間でそれぞれ形成される。エアギャップＭ１、Ｍ２の幅を調節することにより、巻線３ｅ内の誘導電流をランプインピーダンス整合のために調節することができる。
【００２４】
図９及び図１０に示されるように、本発明の第７の好ましい実施の形態に係るインバータ変圧器１００ｆは、変圧器コアユニット６ｆが、Ｉ字形のコアに形成され、コア受けコンパートメント５１内に配置される内部コア部６３をさらに備える点で、上記第６の好ましい実施の形態と異なる。この実施の形態では、内部コア部６３は、第１及び第２コア部６１、６２の突出部分６１１、６２１を相互に連結させる。上記第１の好ましい実施の形態と同様に、一次巻線３３に外部の電源(図示せず)より電流が供給される場合、一次及び二次巻線３３、３４の間、並びに二次及び三次巻線３４、３５の間に、磁気結合Ａ’、Ｂ’が変圧器コアユニット６ｆによって確立されて、インバータ変圧器１００ｆの出力を安定させる。
【００２５】
本発明の他の実施の形態では、エアギャップを形成するために、内部コア部６３と隣接する突出部６１１、６２１との間にスペースを設け得ることが、注目されるべきである。また、ランプインピーダンス整合のために、エアギャップの幅を調整して巻線内の誘導電流を調節することができる。
【００２６】
図１１に示されるように、本発明の第８の好ましい実施の形態に係るインバータ変圧器１００ｇは、変圧器コアユニット２ｇの外部コア部２２ｇが、突出２２１ｇを有するＥ字形のコアとして形成され、内部コア部２１ｇが、コア受けコンパートメント１１内を通りその外部まで延伸して外部コア部２２ｇと連結される点で、上記第１の好ましい実施の形態(図１に示された)と異なる。また、ボビン１ｇはさらに、第１、第２及び第３コイル巻線部分１３、１４、１５の隣接するペアの間に、巻線３ｇが周りに巻き付けられていないスペーサー部分１７を備える。この実施の形態では、スペーサー部分１７は、第２及び第３コイル巻線部分１４、１５の間に配置される。突出部分２２１ｇは、二次及び三次巻線３４、３５の各々と、エアギャップＭをそれぞれ形成する。
【００２７】
同様に、図１２に示されるように、本発明の第９の好ましい実施の形態に係るインバータ変圧器１００ｈは、ボビン１ｈが、第１及び第３巻線部分１３、１５の間に配置された一対の第２コイル巻線部分１４を備え、スペーサー１７が、この一対の第２コイル巻線部分１４間に配置される点で、上記第８の好ましい実施の形態と異なる。変圧器コアユニット２ｈの外部コア部２２ｈの突出部２２１ｈは、巻線３ｈの第２巻線３４の各々と、エアギャップＭをそれぞれ形成する。
【００２８】
図１３〜図１６には、インバータ変圧器の可能な配置及びエアギャップＭの可能な位置を図示するために、様々な構造の変圧器コアユニット２'、２''、２'''、２''''が示されている。これらの図の中で、ボビン１は点線で示されている。本発明の特徴は変圧器コアユニット２の特定の構造及びエアギャップＭの位置にあるのではないので、それらに依拠して本発明の範囲を限定するべきでない。
【００２９】
したがって、前述の実施の形態に示されるように、本発明は、第１、第２、及び第３のコイル巻線部分１３、１４、１５の特定の構造、並び追加されうる第４のコイル巻線部分１７を用いて、インバータ変圧器１００の出力を安定させる。これにより、インバータ変圧器１００が放電ランプに接続された場合、個々のランプ間の照明が均一になる。本発明はさらに、複数の放電ランプを駆動して特定用途の必要条件に適するようにインバータ変圧器１００内のコンポーネントの数、長さ及び向きの変化を許容する。
【００３０】
図１７及び図１８に示されるように、本発明の第１０の好ましい実施の形態に係るランプアセンブリー７００は、一対のランプ負荷１２０と、上記第３の好ましい実施の形態のインバータ変圧器１００ｂ(図４に示された)とを備える。インバータ変圧器１００ｂは、それぞれランプ負荷１２０に接続された第１及び第２コイルユニット７、７'と、第１及び第２変圧器コアユニット９、９'とを備える。第１及び第２コイルユニット７、７'の各々は、ボビン１及び複数の巻線３を有する。ボビン１はコア受けコンパートメント(図示せず)によって形成され、第１、第２、及び第３コイル巻線部分１３、１４、１５を備える。第２コイル巻線部分１４は、第１及び第３コイル巻線部分１３、１５の間に配置される。巻線３は、それぞれ第１、第２及び第３コイル巻線部分１３、１４、１５の周りに巻き付けられる一次、二次及び三次巻線３３、３４、３５を有する。
【００３１】
第１及び第２変圧器コアユニット９、９'の各々は、内部及び外部コア部９０１、９０２を有する。内部コア部９０１は、Ｉ字形のコアで、対応する第１又は第２コイルユニット７、７'のコア受けコンパートメント内に伸びる。外部コア部９０２は、Ｕ字型のコアで、ボビン１と連結される。
【００３２】
この実施の形態では、第１及び第２コイルユニット７、７'の三次巻線３５が、並列に相互接続されて閉ループを形成する。
【００３３】
第１及び第２コイルユニット７、７'の各々の一次巻線３３の一端が電源Viに、反対端がアースに接続される時、磁場は、一次巻線３３内に流れる一次電流i１、i１'によって誘起される。その後、二次電流i２、i２'は、上記誘起された磁場によって、第１及び第２コイルユニット７、７'の各々の二次巻線３４内に誘起される。二次巻線３４の各々がそれぞれのランプ負荷１２０（この実施の形態ではＣＣＦＬ１２０である）及びアースに接続されるので、二次電流i２、i２'はＣＣＦＬ１２０に流れて、負荷回路ループを形成する。ＣＣＦＬ１２０が放電し始めた後、その負の熱インピーダンス特性によって個々のＣＣＦＬ１２０間のインピーダンスは変わる。しかしながら、三次巻線３５内の磁束の変化及び二次巻線３４内の磁束の変化は固有の反発関係にある。第１及び第２コイルユニット７、７'の三次巻線３５が並列に相互接続されて閉ループを形成しているため、第１及び第２変圧器コアユニット９、９'が電磁的に結合されて、ＣＣＦＬ１２０へのバランスの取れた電流の出力を確立し、これにより、均一な照明を確保する。
【００３４】
図１９に示されるように、本発明の第１１の実施の形態に係るランプアセンブリー７００ａは、４つのランプ負荷１２０と、４つのコイルユニット及び４つの変圧器コアユニット９を有するインバータ変圧器１００ｉとを備える。コイルユニットの三次巻線３５は閉回路ループを形成するために相互に接続されている。上記第１０の好ましい実施の形態に関連して説明されたものと比較して、動作原理が変わらないので、ここではこれ以上の詳細は簡潔さのために省略する。
【００３５】
図２０に示されるように、本発明の第１２の好ましい実施の形態に係るランプアセンブリー７００ｂは、閉回路ループの一部を形成するインピーダンス・コンポーネント１３０をさらに備える点で、上記第１１の好ましい実施の形態と異なる。インピーダンス・コンポーネント１３０は抵抗性、容量性、又は誘導性のものであってもよく、この実施の形態では抵抗器である。特に、閉回路ループの第１及び第２終端３６１、３６３はアースに直接接続され、また、抵抗器１３０は、第２終端３６３及び閉回路ループの内部ノード３６２の間に接続される。駆動回路(図示せず)と協働して中間ノード３６２を電流検知端子として使用することでインバータ変圧器１００ｉの出力を調節することができる。その結果、ＣＣＦＬ１２０の照明の明るさもそれに応じて調節される。ここに、ランプアセンブリー７００ｂに備えられるインピーダンス・コンポーネント１３０の数が、特定用途に依存し、１個に制限されるべきでないことは注意されるべきである。
【００３６】
図２１に示されるように、本発明の第１３の好ましい実施の形態に係るランプアセンブリー７００ｃは、第１及び第２コイルユニット７、７'の各々の二次巻線３４（３４'）が、それぞれのランプ負荷１２０(１２０')と第１及び第２コイルユニット７、７'の他方の三次巻線３５'(３５)と直列に相互接続される点で、上記第１０の好ましい実施の形態(図１７に示された)と異なる。
【００３７】
この実施の形態の以下の詳細な記述のために、第２コイルユニット７'の二次及び三次巻線は３４'、３５'として表示され、第２コイルユニット７'に接続されたＣＣＦＬは１２０'として表示される。さらに、二次巻線３４(３４')の各々は第１及び第２終端３４１(３４１')、３４２(３４２')を有し、三次巻線３５(３５')の各々は第３及び第４終端３５１(３５１')、３５２(３５２')を有する。
【００３８】
特に、第１コイルユニット７の二次巻線３４の第１終端３４１は、ＣＣＦＬ１２０の１端に接続される。第１コイルユニット７の二次巻線３４の第２終端３４２は、第２コイルユニット７'の三次巻線３５'の第４終端３５２'に接続される。第２コイルユニット７'の三次の巻線３５'の第３終端３５１'は、アースに直接接続される。ＣＣＦＬ１２０のもう一端は抵抗器１３０'を介して接地される。従って、第２コイルユニット７'の二次巻線３４'の第２終端３４１'は、ＣＣＦＬ１２０'の１端に接続される。第２コイルユニット７'の二次巻線３４'の第１終端３４２'は、第１コイルユニット７の三次巻線３５の第４終端３５２に接続される。第１コイルユニット７の三次巻線３５の第３終端３５１は、直接アースと接続される。ＣＣＦＬ１２０'のもう一端は抵抗器１３０'を介して接地される。
【００３９】
抵抗器１３０'とＣＣＦＬ１２０、１２０'との間の内部ノード（Ｉ）は電流検出端子の役割をする。ノード（Ｉ）で検出された電圧は、電圧調節のためにサーバー回路１４０へフィードバックされる。また、電圧入力は駆動回路１５０によってインバータ変圧器１００ｂに供給される。これらによって、ＣＣＦＬ１２０、１２０'間の均一な照明のために安定した電圧入力が維持される。
【００４０】
図２２に示されるように、本発明の第１４の好ましい実施の形態に係るランプアセンブリー７００ｄは、４つのランプ負荷１２０と、４つのコイルユニットを有するインバータ変圧器とを備える点において、上記第１３の好ましい実施の形態(図２１に示された)と異なる。ＣＣＦＬ１２０及びコイルユニットの巻線３４、３５の間の接続が、第１３の好ましい実施の形態の中で示されるものと同じであるので、これ以上の詳細は簡潔さのためにここでは省略する。
【００４１】
図２３に示されるように、本発明の第１５の好ましい実施の形態に係るランプアセンブリー７００ｅは、ＣＣＦＬ１２０、１２０'がそれぞれ、第１及び第２コイルユニット７、７'の一方の二次巻線３４（３４'）と、第１及び第２コイルユニット７、７'の他方の三次巻線３５'（３５）との間で直列に接続される点において、上記第１３の好ましい実施の形態(図２１に示された)と異なる。
【００４２】
特に、ＣＣＦＬ１２０は、第１コイルユニット７の二次巻線３４の第２終端３４２と、第２コイルユニット７'の三次巻線３５'の第４終端３５２'とを相互に接続させる。第１コイルユニット７の二次巻線３４の第１終端３４１は、アースに直接接続される。第２コイルユニット７'の三次巻線３５'の第３終端３５１'は、抵抗器１３０を介してアースに接続される。従って、ＣＣＦＬ'１２０は、第２コイルユニット７'の二次巻線３４'の第２終端３４２'と、第１コイルユニット７の三次巻線３５の第４終端３５２とを相互に接続させる。第２コイルユニット７'の二次巻線３４'の第１終端３４１'は、アースに直接接続される。第１コイルユニット７の三次巻線３５の第３終端３５１は、抵抗器１３０を介してアースに接続される。
【００４３】
第３終端３５１(３５１')と抵抗器１３０との間の内部ノード（ＩＩ）は、電流検出端子の役割をする。ＣＣＦＬ１２０、１２０'間の均一な照明を維持するメカニズムは、上記第１３の好ましい実施の形態の中で言及されたメカニズムと同じであり、したがって、同じことは、簡潔さのためにここでは省略する。
【００４４】
図２４に示されるように、本発明の第１６の好ましい実施の形態に係るランプアセンブリー７００ｆは、４つのランプ負荷１２０と、４つのコイルユニットを有するインバータ変圧器とを備える点において、上記第１５の好ましい実施の形態と異なる。ＣＣＦＬ１２０及びコイルユニットの巻線３４、３５間の接続が、上記第１５の好ましい実施の形態の中で示されるものと同じであるので、これ以上の詳細は簡潔さのためにここでは省略する。
【００４５】
図２５に示されるように本発明の第１７の好ましい実施の形態に係るランプアセンブリー７００ｇは、第１及び第２コイルユニット７、７'の三次巻線３５が直列に接続され、２つの終端３５１、３５２が接地されて閉回路ループを形成する点において、上記第１０の好ましい実施の形態(図１７に示された)と異なる。
【００４６】
したがって、第１０〜第１７の好ましい実施の形態に例示されるように、本発明は、各コイルユニット７内の二次及び三次巻線３４、３５の磁束間の固有の反発関係を利用してランプアセンブリーのＣＣＦＬ１２０にバランスのとれた電流出力を確保し、それによって、均一な照明を保証する。さらに、第１２〜第１６の好ましい実施の形態に例証されるように、ランプアセンブリーは、電圧の検出のために抵抗器１３０を備えることができる。この電圧は、複数のＣＣＦＬ１２０間の均一な照明のためにランプアセンブリーへの安定した電圧入力を維持するように、電圧調節用のサーバー回路１４０にフィードバックすることができる。
【００４７】
図２６に示されるように、本発明の第１８の好ましい実施の形態に係るランプアセンブリー７００ｈは、コイルユニット７ｊ、７ｊ’の各々のボビン１ｊが、第３コイル巻線部分１５に隣接して配置される第４コイル巻線部分１６jをさらに備え、巻線３jが、それぞれ第１及び第４コイル巻線部分１３、１６ｊのまわりに巻き付けられる一対の一次巻線３３、３６を備える点において、上記第１０の好ましい実施の形態(図１７に示された)と異なる。一次及び三次巻線３６、３５間、及び二次及び三次巻線３４、３５間の固有の反発関係により、また、第１及び第２コイルユニット７j、７ｊ’の三次巻線３５が並列に接続されて閉ループを形成しているため、第１及び第２変圧器コアユニット９j、９j’が電磁的に結合する。したがって、ＣＣＦＬ１２０へのバランスのとれた電流出力が確立され、それによって、均一な照明を保証する。
【００４８】
以上では、本発明を最も実用的と考えられる好ましい実施の形態に関連して説明したが、本発明は、上記開示された実施の形態に制限されるのものではなく、最も広い解釈の思想及び範囲内に含まれる様々な構成、及び均等な構成をカバーすることが意図されていることは言うまでもない。
【図面の簡単な説明】
【００４９】
【図１】本発明に係るインバータ変圧器の第１の好ましい実施の形態の部分的な分解斜視図である。
【図２】隣接した巻線間の磁気結合を例示する、上記第１の好ましい実施の形態についての部分的な概略側面図である。
【図３】本発明に係るインバータ変圧器の第２の好ましい実施の形態の部分的な概略側面図である。
【図４】本発明に係るインバータ変圧器の第３の好ましい実施の形態の部分的な斜視図である。
【図５】本発明に係るインバータ変圧器の第４の好ましい実施の形態の部分的な概略側面図である。
【図６】本発明に係るインバータ変圧器の第５の好ましい実施の形態の部分的な概略側面図である。
【図７】上記第５の好ましい実施の形態についての部分的な概略底面図である。
【図８】本発明に係るインバータ変圧器の第６の好ましい実施の形態の平面図である。
【図９】本発明に係るインバータ変圧器の第７の好ましい実施の形態の分解斜視図である。
【図１０】上記第７の好ましい実施の形態の、一部を切り取った組み立て状態の斜視図である。
【図１１】本発明に係るインバータ変圧器の第８の好ましい実施の形態の平面図である。
【図１２】本発明に係るインバータ変圧器の第９の好ましい実施の形態の平面図である。
【図１３】２つのＥ字形のコアを有する変圧器コアユニットの概略図である。
【図１４】２つのＵ字形のコアを有する変圧器コアユニットの概略図である。
【図１５】Ｉ字形のコア及びＵ字形のコアを有する変圧器コアユニットの概略図である。
【図１６】Ｉ字形のコア及びくぼんだＵ字形のコアを有する変圧器コアユニットの斜視図である。
【図１７】本発明の第１０の好ましい実施の形態によるランプアセンブリーの概略図である。
【図１８】上記第１０の好ましい実施の形態の概略電気回路図である。
【図１９】本発明の第１１の好ましい実施の形態によるランプアセンブリーの概略図である。
【図２０】本発明の第１２の好ましい実施の形態によるランプアセンブリーの概略図である。
【図２１】本発明の第１３の好ましい実施の形態によるランプアセンブリーの概略電気回路図である。
【図２２】本発明の第１４の好ましい実施の形態によるランプアセンブリーの概略電気回路図である。
【図２３】本発明の第１５の好ましい実施の形態によるランプアセンブリーの概略電気回路図である。
【図２４】本発明の第１６の好ましい実施の形態によるランプアセンブリーの概略電気回路図である。
【図２５】本発明の第１７の好ましい実施の形態によるランプアセンブリーの概略図である。
【図２６】本発明の第１８の好ましい実施の形態によるランプアセンブリーの概略図である。
【図１】
2006108667.tif 000003
【図２】
2006108667.tif 000004
【図３】
2006108667.tif 000005
【図４】
2006108667.tif 000006
【図５】
2006108667.tif 000007
【図６】
2006108667.tif 000008
【図７】
2006108667.tif 000009
【図８】
2006108667.tif 000010
【図９】
2006108667.tif 000011
【図１０】
2006108667.tif 000012
【図１１】
2006108667.tif 000013
【図１２】
2006108667.tif 000014
【図１３】
2006108667.tif 000015
【図１４】
2006108667.tif 000016
【図１５】
2006108667.tif 000017
【図１６】
2006108667.tif 000018
【図１７】
2006108667.tif 000019
【図１８】
2006108667.tif 000020
【図１９】
2006108667.tif 000021
【図２０】
2006108667.tif 000022
【図２１】
2006108667.tif 000023
【図２２】
2006108667.tif 000024
【図２３】
2006108667.tif 000025
【図２４】
2006108667.tif 000026
【図２５】
2006108667.tif 000027
【図２６】
2006108667.tif 000028
【外国語明細書】
2006108667000001.pdf
2006108667000002.pdf
2006108667000003.pdf
2006108667000004.pdf